(57)【要約】【課題】容易に設置することができる耐震用配管拘束装置を提供する。【解決手段】配管３Ａ，３Ｂの軸方向一方側への動きを拘束する耐震用配管拘束装置において、配管３Ａのフランジ４Ａにおける配管３Ａの軸方向一方側の端面に当接するように、配管３Ａの外周側に取付けられたクランプ５Ａと、配管３Ａ，３Ｂの軸方向に延在すると共に、一方側端部がクランプ５Ａに連結され且つ他方側端部がプラントの躯体側に連結されたロッドレストレイント７Ａ，７Ｂとを備える。【選択図】図１
2019007525.tif 000002
【特許請求の範囲】
【請求項１】
配管の軸方向一方側への動きを拘束する耐震用配管拘束装置において、
前記配管のフランジにおける前記配管の軸方向一方側の端面に当接するように、前記配管の外周側に取付けられたクランプと、
前記配管の軸方向に延在すると共に、一方側端部が前記クランプに連結され且つ他方側端部が躯体側に連結されたロッドレストレイント又はスナッバとを備えたことを特徴とする耐震用配管拘束装置。
【請求項２】
請求項１に記載の耐震用配管拘束装置において、
前記クランプは、２つの半円環状のバンド部材と、前記２つのバンド部材の一方側端部を互いに着脱可能に連結する第１のネジ部材と、前記２つのバンド部材の他方側端部を互いに着脱可能に連結する第２のネジ部材とで構成されており、
前記第１のネジ部材に第１のロッドレストレイント又はスナッバが連結され、前記第２のネジ部材に第２のロッドレストレイント又はスナッバが連結されたことを特徴とする耐震用配管拘束装置。
【請求項３】
配管の軸方向一方側及び反対側への動きを拘束する耐震用配管拘束装置において、
前記配管のフランジにおける前記配管の軸方向一方側の端面に当接するように、前記配管の外周側に取付けられた一のクランプと、
前記配管の軸方向に延在すると共に、一方側端部が前記一のクランプに連結され且つ他方側端部が躯体側に連結された一のロッドレストレイント又はスナッバと、
前記配管のフランジにおける前記配管の軸方向反対側の端面に当接するように前記配管の外周側に取り付けられた他のクランプと、
前記配管の軸方向に延在すると共に、一方側端部が前記他のクランプに連結され且つ他方側端部が躯体側に連結された他のロッドレストレイント又はスナッバとを備えたことを特徴とする耐震用配管拘束装置。
【請求項４】
請求項３に記載の耐震用配管拘束装置において、
前記一のクランプは、２つの半円環状のバンド部材と、前記２つのバンド部材の一方側端部を互いに着脱可能に連結する第１のネジ部材と、前記２つのバンド部材の他方側端部を互いに着脱可能に連結する第２のネジ部材とで構成され、
前記他のクランプは、２つの半円環状のバンド部材と、前記２つのバンド部材の一方側端部を互いに着脱可能に連結する第３のネジ部材と、前記２つのバンド部材の他方側端部を互いに着脱可能に連結する第４のネジ部材とで構成されており、
前記第１のネジ部材に第１のロッドレストレイント又はスナッバが連結され、前記第２のネジ部材に第２のロッドレストレイント又はスナッバが連結され、前記第３のネジ部材に第３のロッドレストレイント又はスナッバが連結され、前記第４のネジ部材に第４のロッドレストレイント又はスナッバが連結されたことを特徴とする耐震用配管拘束装置。
【発明の詳細な説明】
【技術分野】
【０００１】
本発明は、配管の軸方向の動きを拘束する耐震用配管拘束装置に関する。
【背景技術】
【０００２】
例えば原子力プラントにおいては、配管の軸方向の動きを拘束する配管拘束装置を設ける。この配管拘束装置では、一般的に、配管の外周側にラグを溶接し、ラグとプラントの躯体側の間で防振器やハンガ等を連結する。防振器は、熱膨張などによって生じる配管の緩やかな動きに追従するものの、地震などによって生じる配管の急な動きを拘束するためのものである。
【０００３】
特許文献１の一実施例の配管拘束装置では、配管の外周側に複数のテーパ付ストッパを溶接し、複数のテーパ付ストッパにそれぞれ嵌合する複数のテーパ付孔を有する取付バンドを取付ける。そして、取付バンドと躯体側の間でハンガを連結する。
【０００４】
特許文献１の他の実施例の配管拘束装置では、配管の外周側に複数のテーパ付ストッパを鍛造成形したサポートコンポーネントを用意し、このサポートコンポーネントの両端に他の配管を溶接する。そして、上記一実施例と同様、取付バンドを取付け、取付バンドと躯体側の間でハンガを連結する。
【先行技術文献】
【特許文献】
【０００５】
【特許文献１】特開昭５７−９４１８４号公報
【発明の概要】
【発明が解決しようとする課題】
【０００６】
上述した従来技術では、ラグ、ストッパ、又はサポートコンポーネントを溶接する際に、耐圧部材である配管に溶接熱を与えるため、配管の耐圧試験や溶接検査等の手間が生じる。
【０００７】
本発明の目的は、容易に設置することができる耐震用配管拘束装置を提供することにある。
【課題を解決するための手段】
【０００８】
上記目的を達成するために、代表的な本発明は、配管の軸方向一方側への動きを拘束する耐震用配管拘束装置において、前記配管のフランジにおける前記配管の軸方向一方側の端面に当接するように、前記配管の外周側に取付けられたクランプと、前記配管の軸方向に延在すると共に、一方側端部が前記クランプに連結され且つ他方側端部が躯体側に連結されたロッドレストレイント又はスナッバとを備える。
【発明の効果】
【０００９】
本発明によれば、配管にラグ等を溶接する必要がないため、容易に設置することができる。
【図面の簡単な説明】
【００１０】
【図１】本発明の一実施形態における耐震用配管拘束装置の構造を表す斜視図である。
【図２】本発明の一実施形態における耐震用配管拘束装置の構造を表す側面図である。
【発明を実施するための形態】
【００１１】
本発明の一実施形態を、図面を参照しつつ説明する。図１は、本実施形態における耐震用配管拘束装置の構造を表す斜視図であり、図２は、側面図である。
【００１２】
本実施形態では、複数組の固定ボルト１及び固定ナット２を用いて配管３Ａのフランジ４Ａ及び配管３Ｂのフランジ４Ｂが互いに接続されており、配管３Ａ，３Ｂの軸方向一方側及び反対側への動きを拘束する耐震用配管拘束装置が設けられている。
【００１３】
本実施形態の耐震用配管拘束装置は、配管３Ａ，３Ｂの軸方向一方側（図１及び図２中右側）への動きを拘束するための構成として、配管３Ａのフランジ４Ａにおける配管３Ａの軸方向一方側の端面に当接するように、配管３Ａの外周側に取付けられたクランプ５Ａと、配管３Ａ，３Ｂの軸方向に延在すると共に、一方側端部がクランプ５Ａに連結され、且つ他方側端部がプラントの躯体側（詳細には、例えば架構６又は壁など）に連結されたロッドレストレイント７Ａ，７Ｂとを備える。
【００１４】
クランプ５Ａは、２つの半円環状のバンド部材８Ａ，８Ｂと、バンド部材８Ａ，８Ｂの一方側端部を互いに着脱可能に連結する１組のネジ部材９Ａ及びナット１０と、バンド部材８Ａ，８Ｂの他方側端部を互いに着脱可能に連結する１組のネジ部材９Ｂ及びナット１０とで構成されている。バンド部材８Ａ，８Ｂの一方側端部にそれぞれ形成された貫通孔にネジ部材９Ａが挿通し、バンド部材８Ａ，８Ｂの他方側端部にそれぞれ形成された貫通孔にネジ部材９Ｂが挿通し、ネジ部材９Ａ，９Ｂの先端部にナット１０がそれぞれ螺合することにより、バンド部材８Ａ，８Ｂが配管３Ａの外周面に締付けられている。また、ロッドレストレイント７Ａ，７Ｂの一方側端部に形成された貫通孔にネジ部材９Ａ，９Ｂがそれぞれ挿通することにより、ロッドレストレイント７Ａ，７Ｂがネジ部材９Ａ，９Ｂにそれぞれ連結されている。
【００１５】
ロッドレストレイント７Ａ，７Ｂは、熱膨張や地震などによって生じる配管の急な動きを拘束するものである。そして、配管３Ａの外周面とクランプ５Ａの間で伝達される荷重だけでなく、配管３Ａのフランジ４Ａとクランプ５Ａの間で伝達される荷重を受け、配管３Ａ，３Ｂの軸方向一方側への動きを拘束するようになっている。なお、ロッドレストレイント７Ａ，７Ｂに代えて、スナッバを設けてもよい。スナッバは、膨張などによって生じる配管の緩やかな動きに追従するものの、地震などによって生じる配管の急な動きを拘束するものである。
【００１６】
また、本実施形態の耐震用配管拘束装置は、配管３Ａ，３Ｂの軸方向反対側（図１及び図２中左側）への動きを拘束するための構成として、配管３Ｂのフランジ４Ｂにおける配管３Ｂの軸方向反対側の端面に当接するように、配管３Ｂの外周側に取付けられたクランプ５Ｂと、配管の軸方向に延在すると共に、一方側端部がクランプ５Ｂに連結され且つ他方側端部がプラントの躯体側（図示せず）に連結されたロッドレストレイント７Ｃ，７Ｄとを備える。
【００１７】
クランプ５Ｂは、２つの半円環状のバンド部材８Ｃ，８Ｄと、バンド部材８Ｃ，８Ｄの一方側端部を互いに着脱可能に連結する１組のネジ部材９Ｃ及びナット１０と、バンド部材８Ｃ，８Ｄの他方側端部を互いに着脱可能に連結する１組のネジ部材９Ｄ及びナット１０とで構成されている。バンド部材８Ｃ，８Ｄの一方側端部にそれぞれ形成された貫通孔にネジ部材９Ｃが挿通し、バンド部材８Ｃ，８Ｄの他方側端部にそれぞれ形成された貫通孔にネジ部材９Ｄが挿通し、ネジ部材９Ｃ，９Ｄの先端部にナット１０がそれぞれ螺合することにより、バンド部材８Ｃ，８Ｄが配管３Ｂの外周面に締付けられている。また、ロッドレストレイント７Ｃ，７Ｄの一方側端部に形成された貫通孔にネジ部材９Ｃ，９Ｄがそれぞれ挿通することにより、ロッドレストレイント７Ｃ，７Ｄがネジ部材９Ｃ，９Ｄにそれぞれ連結されている。
【００１８】
ロッドレストレイント７Ｃ，７Ｄは、熱膨張や地震などによって生じる配管の急な動きを拘束するものである。そして、配管３Ｂの外周面とクランプ５Ｂの間で伝達される荷重だけでなく、配管３Ｂのフランジ４Ｂとクランプ５Ｂの間で伝達される荷重を受け、配管３Ａ，３Ｂの軸方向反対側への動きを拘束するようになっている。なお、ロッドレストレイント７Ｃ，７Ｄに代えて、スナッバを設けてもよい。
【００１９】
以上のように本実施形態においては、配管３Ａのフランジ４Ａ及び配管３Ｂのフランジ４Ｂを利用して、配管３Ａ，３Ｂの軸方向一方側及び反対側への動きを拘束することができる。そして、配管３Ａ又は３Ｂにラグ等を溶接する必要がなく、配管３Ａ又は３Ｂの耐圧試験や溶接検査等を行う手間を省くことができるため、容易に設置することができる。特に、既設のプラントの配管に対して、容易に設置することができる。また、例えば原子力プラントの海水系配管であって、耐食性のライニング（被膜）が内面に施された配管に対して設置するのであれば、溶接熱によるライニングの損傷を回避することができる。
【００２０】
なお、上記一実施形態においては、配管３Ａ，３Ｂの軸方向一方側及び反対側への動きを拘束するための構成を例にとって説明したが、これに限られず、本発明の趣旨及び技術思想を逸脱しない範囲内で変形が可能である。例えば、配管３Ａ，３Ｂの軸方向一方側への動きを拘束するための構成だけとしてもよいし、または、配管３Ａ，３Ｂの軸方向反対側への動きを拘束するための構成だけとしてもよい。
【００２１】
また、上記一実施形態において、クランプ５Ａは、２つの半円環状のバンド部材８Ａ，８Ｂと、バンド部材８Ａ，８Ｂの一方側端部を互いに着脱可能に連結するネジ部材９Ａと、バンド部材８Ａ，８Ｂの他方側端部を互いに着脱可能に連結するネジ部材９Ｂとで構成されており、ネジ部材９Ａ，９Ｂにロッドレストレイント７Ａ，７Ｂ（又はスナッバ）がそれぞれ連結された場合を例にとって説明した。また、クランプ５Ｂは、２つの半円環状のバンド部材８Ｃ，８Ｄと、バンド部材８Ｃ，８Ｄの一方側端部を互いに着脱可能に連結するネジ部材９Ｃと、バンド部材８Ｃ，８Ｄの他方側端部を互いに着脱可能に連結するネジ部材９Ｄとで構成されており、ネジ部材９Ｃ，９Ｄにロッドレストレイント７Ｃ，７Ｄ（又はスナッバ）がそれぞれ連結された場合を例にとって説明した。しかし、これに限られず、本発明の趣旨及び技術思想を逸脱しない範囲内で変形が可能である。
【００２２】
図示しないものの、クランプ５Ａ又は５Ｂは、２つの半円環状のバンド部材と、２つのバンド部材の一方側端部を互いに回動可能に連結するピン部材と、２つのバンド部材の他方側端部を互いに着脱可能に連結するネジ部材とで構成されてもよい。そして、ネジ部材にロッドレストレイント又はスナッバが連結されてもよいし、又は、２つのバンド部材のうちの少なくとも一方にラグが溶接されて、このラグにロッドレストレイント又はスナッバが連結されてもよい。このような変形例においても、上記同様の効果を得ることができる。
【符号の説明】
【００２３】
３Ａ，３Ｂ    配管
４Ａ，４Ｂ    フランジ
５Ａ，５Ｂ    クランプ
７Ａ〜７Ｄ    ロッドレストレイント
８Ａ〜８Ｄ    バンド部材
９Ａ〜９Ｄ    ネジ部材
【図１】
2019007525.tif 000003
【図２】
2019007525.tif 000004